【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
被写体を透過するＸ線を放射するエミッタ及びこのＸ線を受けるレシーバを有する撮影装置と、前記エミッタを制御し、前記レシーバによって受けられた前記Ｘ線を処理して前記被写体のＸ線画像を生成する制御回路と、を備えたＸ線撮影システムであって、
前記制御回路は前記撮影装置を制御し、前記被写体のＸ線位置付け画像を生成するように構成され、
前記制御回路はまた、ディスプレイを制御して前記位置付け画像を表示させるように構成され、前記位置付け画像の表示又はディスプレイ（ｄｉｓｐｌａｙ）はユーザが修正することが可能であり、
そして、前記制御回路はさらに、前記撮影装置を制御し、ユーザによる前記位置付け画像の前記表示又はディスプレイの修正に基づいて、前記被写体のＸ線画像を生成するように構成されている、ことを特徴とするＸ線撮影システム。
【請求項２】
前記制御回路は、前記ディスプレイを制御して前記被写体のイニシャルビュー（ｉｎｉｔｉａｌ  ｖｉｅｗ）を表示させるように構成され、
前記イニシャルビューの表示には、ポジションマーカーがオーバーラップして表示されていて、
このイニシャルビューとポジションマーカーの少なくとも一方は、前記イニシャルビューとポジションマーカーの他方に対して、前記ディスプレイ上でユーザが移動させることができ、
前記制御回路は、前記撮影装置を制御し、このイニシャルビュー及びポジションマーカーの相対的な位置又は大きさに基づいて、前記位置付け画像を生成するように構成されている、ことを特徴とする請求項１記載のＸ線撮影システム。
【請求項３】
前記位置付け画像は前記ディスプレイ上で移動可能であり、
前記制御回路は、前記撮影装置を制御し、前記ディスプレイ上の前記位置付け画像の位置又は大きさに基づいて前記Ｘ線画像を生成するように構成されている、ことを特徴とする請求項１又は２記載のＸ線撮影システム。
【請求項４】
前記位置付け画像は、異なる角度からの前記被写体の複数のＸ線画像を含んでいる、ことを特徴とする請求項１、２又は３記載のＸ線撮影システム。
【請求項５】
前記複数のＸ線画像は連動していて、
前記ディスプレイ上のこの複数のＸ線画像の１つに修正が行われると、前記ディスプレイ上の前記複数のＸ線画像の残りのものにも対応する修正が行われる、ことを特徴とする請求項４記載のＸ線撮影システム。
【請求項６】
前記修正には移動させることが含まれる、ことを特徴とする請求項５記載のＸ線撮影システム。
【請求項７】
前記複数のＸ線画像は、２つのＸ線画像で構成されている、ことを特徴とする請求項４、５又は６記載のＸ線撮影システム。
【請求項８】
前記２つのＸ線画像は、互いに直交する方向でのものである、ことを特徴とする請求項７記載のＸ線撮影システム。
【請求項９】
前記位置付け画像の表示には、位置付けポジションマーカーがオーバーラップして表示されていて、
この位置付け画像と位置付けポジションマーカーの少なくとも一方は、前記位置付け画像と位置付けポジションマーカーの他方に対して修正可能であり、
前記制御回路は、前記撮影装置を制御し、この位置付け画像及び位置付けポジションマーカーの相対的な修正に基づいて、前記Ｘ線画像を生成するように構成されている、ことを特徴とする請求項１又は２記載のＸ線撮影システム。
【請求項１０】
前記修正には、前記位置付けポジションマーカーの大きさを変更することが含まれる、ことを特徴とする請求項９記載のＸ線撮影システム。
【請求項１１】
前記制御回路は、前記システムを制御し、前記位置付けポジションマーカーの大きさ及び位置の少なくとも一方に基づいて、前記被写体を透過して放射されるＸ線の量を抑制（ｃｏｌｌｉｍａｔｅ）するように構成されている、ことを特徴とする請求項９又は１０記載のＸ線撮影システム。
【請求項１２】
入力装置をさらに備え、この入力装置は、前記制御回路に前記撮影装置を制御させて前記位置付け画像を生成させるように構成されている、ことを特徴とする請求項１乃至１１のいずれかに記載のＸ線撮影システム。
【請求項１３】
前記制御回路に前記位置付け画像を生成させるように前記入力装置が作動されると、前記制御回路は、前記被写体と前記Ｘ線装置又は撮影装置の相対的な位置を調整又は制御するように構成されている、ことを特徴とする請求項１２記載のＸ線撮影システム。
【請求項１４】
入力装置をさらに備え、この入力装置は、前記制御回路に前記撮影装置を制御させて前記Ｘ線画像を生成させるように構成されている、ことを特徴とする請求項１乃至１１のいずれかに記載のＸ線撮影システム。
【請求項１５】
前記制御回路に前記撮影装置を制御させて前記Ｘ線画像を生成させるように前記入力装置が作動されると、前記制御回路は、前記被写体と前記Ｘ線装置又は撮影装置の相対的な位置を調整又は制御するように構成されている、ことを特徴とする請求項１４記載のＸ線撮影システム。
【請求項１６】
さらにディスプレイを備えている、ことを特徴とする請求項１記載のＸ線撮影システム。
【請求項１７】
被写体を透過するＸ線を放射するエミッタ及びこのＸ線を受けるレシーバを有するＸ線撮影装置を作動させるＸ線撮影装置作動方法であって、
前記被写体のイニシャルビューをディスプレイ上に表示し、
前記イニシャルビューの表示又はディスプレイ（ｄｉｓｐｌａｙ）を修正して関心領域を特定し、
前記制御回路を介して前記エミッタと前記レシーバを作動させ、前記イニシャルビューの表示又はディスプレイ上で特定された関心領域に基づいて前記被写体のＸ線位置付け画像を生成し、
前記ディスプレイ上に前記位置付け画像を表示し、
前記位置付け画像の表示又はディスプレイ（ｄｉｓｐｌａｙ）を修正して前記関心領域をさらに特定し、
そして、前記位置付け画像上で特定された前記関心領域に基づき、前記制御回路を介して前記エミッタと前記レシーバを作動させて前記被写体のＸ線画像を生成する、ことを特徴とするＸ線撮影装置作動方法。
【請求項１８】
前記イニシャルビューとこのイニシャルビューの表示にオーバーラップしているポジションマーカーの相対的な位置を修正することにより、前記イニシャルビューの表示又はディスプレイ上で前記関心領域を特定する、ことを特徴とする請求項１７記載のＸ線撮影装置作動方法。
【請求項１９】
前記ディスプレイ上で前記位置付け画像の位置又は大きさを修正することによって、前記ディスプレイの前記位置付け画像上で前記関心領域を特定する、ことを特徴とする請求項１７又は１８記載のＸ線撮影装置作動方法。
【請求項２０】
前記位置付け画像は、異なる角度からの前記被写体の複数のＸ線画像を含んでいる、ことを特徴とする請求項１７、１８又は１９記載のＸ線撮影装置作動方法。
【請求項２１】
前記複数のＸ線画像は連動していて、前記ディスプレイ上のこの複数のＸ線画像の１つが動かされると、前記ディスプレイ上の前記複数のＸ線画像の残りのものも対応して動く、ことを特徴とする請求項１８、１９又は２０記載のＸ線撮影装置作動方法。
【請求項２２】
前記複数のＸ線画像は、２つのＸ線画像で構成されている、ことを特徴とする請求項１９、２０又は２１記載のＸ線撮影装置作動方法。
【請求項２３】
前記２つのＸ線画像は、互い直交する方向でのものである、ことを特徴とする請求項２２記載のＸ線撮影装置作動方法。
【請求項２４】
前記位置付け画像とこの位置付け画像の表示にオーバーラップしているポジションマーカーの相対的な位置又は大きさを修正することによって、前記ディスプレイの前記位置付け画像上で、前記関心領域をさらに特定する、ことを特徴とする請求項１７記載のＸ線撮影装置作動方法。
【請求項２５】
前記位置付け画像に対する前記ポジションマーカーの大きさを修正する、ことを特徴とする請求項２４記載のＸ線撮影装置作動方法。
【請求項２６】
前記制御回路を介して、前記位置付けポジションマーカーの前記大きさに基づいて、前記被写体を透過するように放射されるＸ線の量を調整する、ことを特徴とする請求項２５記載のＸ線撮影装置作動方法。
【請求項２７】
入力装置を操作又は作動して、前記制御回路に前記撮影装置を制御させ、前記イニシャルビュー及びポジションマーカーの位置又は大きさに基づいて、前記位置付け画像を生成させることを含む、ことを特徴とする請求項１７乃至２６のいずれかに記載のＸ線撮影装置作動方法。
【請求項２８】
前記制御回路に前記位置付け画像を生成させるように前記入力装置が作動されると、前記制御回路が、前記被写体と前記Ｘ線装置又は撮影装置の相対的な位置を調整又は制御する、ことを特徴とする請求項２７記載のＸ線撮影装置作動方法。
【請求項２９】
入力装置を操作又は作動して、前記制御回路に前記撮影装置を制御させ、スクリーン上の前記位置付け画像の前記位置又は大きさに基づいて、前記被写体のＸ線画像を生成させる、ことを特徴とする請求項１７乃至２６のいずれかに記載のＸ線撮影装置作動方法。
【請求項３０】
前記制御回路に前記撮影装置を制御させ、前記Ｘ線画像を生成させるように前記入力装置が作動されると、前記制御回路が、前記被写体と前記Ｘ線装置又は撮影装置の相対的な位置又は大きさを調整又は制御する、ことを特徴とする請求項２９記載のＸ線撮影装置作動方法。
【請求項３１】
被写体を透過するＸ線を放射するエミッタ及びこのＸ線を受けるレシーバを有する撮影装置と、前記エミッタを制御し、前記レシーバによって受けられた前記Ｘ線を処理して前記被写体のＸ線画像を生成する制御回路と、を備えたＸ線撮影システムであって、
前記制御回路は、前記撮影装置を制御して前記被写体のＸ線位置付け画像を生成し、かつ、ディスプレイを制御して前記位置付け画像を表示させるように構成され、
前記位置付け画像の表示又はディスプレイ（ｄｉｓｐｌａｙ）はユーザが修正することが可能であり、
前記位置付け画像は、異なる角度からの前記被写体の複数のＸ線画像を有していて、
前記複数のＸ線画像は連動し、前記ディスプレイ上のこの複数のＸ線画像の１つに修正が行われると、前記ディスプレイ上の前記複数のＸ線画像の残りのものにも対応する修正が行われ、
前記制御回路は前記撮影装置を制御し、前記位置付け画像の前記表示又はディスプレイのユーザによる修正に基づいて、前記被写体のＸ線画像を生成するように構成されている、ことを特徴とするＸ線撮影システム。
【請求項３２】
前記位置付け画像の表示には、位置付けポジションマーカーがオーバーラップして表示されていて、
この位置付け画像と位置付けポジションマーカーの少なくとも一方は、前記位置付け画像と前記位置付けポジションマーカーの他方に対して修正することが可能であり、
前記制御回路は前記撮影装置を制御し、この位置付け画像及び位置付けポジションマーカーの相対的な修正に基づいて、前記Ｘ線画像を生成するように構成されている、ことを特徴とする請求項３１記載のＸ線撮影システム。